(57)【要約】【課題】  複雑な工程を必要としないプラスチック成形で構成が可能であって、分解が容易な噴霧器用ポンプを提供することを目的とする。【解決手段】  シリンダ１０１と、このシリンダ１０１に併設されシリンダ１０１内で加圧された薬液を貯留し外部へ放出する吐出口１０６を有する蓄圧室１０２と、シリンダ１０１の下部においてシリンダ１０１の径方向に延出して設けられた弁室１０３と、この弁室１０３から蓄圧室１０２への加圧された薬液の流路となる通孔１０４と、薬液タンク内の薬液をシリンダ１０１内に吸入する吸入弁１０５と、から構成されている。【選択図】  図１
2008168217.tif 000002
【特許請求の範囲】
【請求項１】
薬液を貯留した薬液タンクに装着され、前記薬液を吸入し、外部へ放出する噴霧器用ポンプにおいて、
薬液を加圧するピストンロッドを収納したシリンダと、
前記シリンダに隣接し、該シリンダ内で加圧された薬液を貯留し、該貯留された薬液を外部へ放出する吐出口を有する蓄圧室と、
前記シリンダ内に吸入された薬液を前記蓄圧室へ導く薬液導管と、
を備えたことを特徴とする噴霧器用ポンプ。
【請求項２】
前記シリンダの下端には、外管と内管とからなる二重管構造の吸入弁が着脱可能に嵌入され、前記吸入弁の内管の内部には、前記薬液を吸入する吸入孔と、該吸入孔の直径よりも大きい球弁と、該球弁の脱出を防止する弁押さえリングが収納されていることを特徴とする請求項１記載の噴霧器用ポンプ。
【請求項３】
前記薬液導管は、前記シリンダの直径方向に延出し、前記シリンダ側に設けられている通孔と、前記蓄圧室の下端側に設けられている流路とで、前記シリンダと前記蓄圧室とを連通させていることを特徴とする請求項１記載の噴霧器用ポンプ。
【請求項４】
前記薬液導管は、前記通孔と対向する位置に、該薬液導管に螺合して装着されるキャップが設けられており、前記キャップには、前記通孔に向かって突出する突出部と、該突出部に係止されるバネと、該バネの他端に取り付けられる弁体とを有することを特徴とする請求項５記載の噴霧器用ポンプ。
【請求項５】
前記キャップは、前記蓄圧室の圧力が一定の圧力より上がった場合に圧縮された空気を外部に吐出させるための貫通孔を有する第１のキャップと、該空気とともに外部に吐出しようとする前記薬液の外部への吐出を防ぐ第２のキャップと、該第１のキャップと第２のキャップ間に間挿入され該圧力の調整を行うバネと、から構成されることを特徴とする請求項１から４のいずれかに記載の噴霧器用ポンプ。
【発明の詳細な説明】
【技術分野】
【０００１】
本発明は、タンクに装着し、タンク内の液体を散布する手押式噴霧器用ポンプに関する。
【背景技術】
【０００２】
従来の噴霧器用ポンプとして、薬液タンクに装着されるシリンダ内のピストンによって、薬液タンク内の薬液を密閉された蓄圧室に加圧して送出し、噴霧ノズルから噴出させるタイプのものがある。このような噴霧器用ポンプは、耐圧性と薬液に対する耐腐食性が要求されるため、金属を素材として構成されている。
【０００３】
しかし、このような噴霧器用ポンプは、シリンダや蓄圧室等の部材が金属で構成されているため、このような部材の接合箇所の全てを半田付けする工程が必要となり、そのための製造工程が煩雑で、それに伴い時間とコストがかかるという問題がある。また、接合箇所の全てを半田付けすることにより、分解不能な構成となってしまい、ポンプ内の清掃や内部に装着されている弁の取替え作業といったメンテナンスが困難となる。
【０００４】
このため、近年、特許文献１に開示されるような噴霧器用ポンプが提案されている。この噴霧器用ポンプは、シリンダを蓄圧室が外包する構成となっている二重管構造であって、二重管構造の下部に閉塞部材を脱着可能に嵌着する構造であり、シリンダや蓄圧室等の部材としては、プラスチックを用いて射出成形されているものである。この噴霧器用ポンプによれば、シリンダや蓄圧室等の部材にプラスチックを用いているため、半田付けの工程を必要とせず安価に製造することができる。
【特許文献１】実開平２−１２１１６０号公報
【発明の開示】
【発明が解決しようとする課題】
【０００５】
しかしながら、特許文献１で開示されている噴霧器用ポンプによれば、以下のような問題がある。
まず、二重管構造は複雑な構成であるために、製造工程において複数の工程を必要とし、その結果、コスト高となってしまうという問題がある。また、蓄圧室がシリンダを外包する構成となっているため、機構内部での損壊を一見して認識することが困難であるという問題がある。
【０００６】
従って、本発明の目的は、複雑な製造工程を必要とせず、機構内部での損壊を容易に発見することが可能な噴霧器用ポンプを提供することにある。
【課題を解決するための手段】
【０００７】
本発明は、上記の課題を解決するために、薬液を貯留した薬液タンクに装着され、前記薬液を吸入し、外部へ放出する噴霧器用ポンプにおいて、薬液を加圧するピストンロッドを収納したシリンダと、前記シリンダに隣接し、該シリンダ内で加圧された薬液を貯留し、該貯留された薬液を外部へ放出する吐出口を有する蓄圧室と、前記シリンダ内に吸入された薬液を前記蓄圧室へ導く薬液導管と、を備えたことを特徴とする噴霧器用ポンプを提供するものである。
【０００８】
以上の構成において、前記シリンダの下端には、外管と内管とからなる二重管構造の吸入弁が着脱可能に嵌入され、前記吸入弁の内管の内部には、前記薬液を吸入する吸入孔と、該吸入孔の直径よりも大きい球弁と、該球弁の脱出を防止する弁押さえリングが収納されていることが望ましい。
【０００９】
また、前記薬液導管は、前記シリンダの直径方向に延出し、前記シリンダ側に設けられている通孔と、前記蓄圧室の下端側に設けられている流路とで、前記シリンダと前記蓄圧室とを連通させていることが望ましい。
【００１０】
また、前記薬液導管は、前記通孔と対向する位置に、該薬液導管に螺合して装着されるキャップが設けられており、前記キャップには、前記通孔に向かって突出する突出部と、該突出部に係止されるバネと、該バネの他端に取り付けられる弁体とを有することが望ましい。
【００１１】
また、前記キャップは、前記蓄圧室の圧力が一定の圧力より上がった場合に圧縮された空気を外部に吐出させるための貫通孔を有する第１のキャップと、該空気とともに外部に吐出しようとする前記薬液の外部への吐出を防ぐ第２のキャップと、該第１のキャップと第２のキャップ間に間挿入され該圧力の調整を行うバネと、から構成されることが望ましい。
【発明の効果】
【００１２】
本発明によれば、噴霧器用ポンプの本体をプラスチック一体成形で形成することができるため、コストを抑え、複雑な工程を必要としないため、容易に作製することができ、短時間で大量生産することができる。また、破損した場合においても破損箇所を一見して認識することができる構成となっている。さらに、薬液に曝露されて劣化しやすい部品の取り外しが簡単な構成であるために、メンテナンスが簡単になる。
【発明を実施するための最良の形態】
【００１３】
以下、図面を参照しながら、本発明の実施の形態に係る噴霧器用ポンプを詳細に説明する。
図１は、本発明の実施の形態に係る噴霧器用ポンプの全体構造を示す図である。
図に示すように、噴霧器用ポンプ１００は、概ね、把手２００が設けられたピストンロッド２０１の往復動によって薬液タンク（図示せず）内の薬液を吸引して加圧するシリンダ１０１と、このシリンダ１０１に併設されシリンダ１０１内で加圧された薬液を貯留し外部へ放出する吐出口１０６を有する蓄圧室１０２と、シリンダ１０１の下部においてシリンダ１０１の径方向に延出して設けられた弁室１０３と、この弁室１０３から蓄圧室１０２への加圧された薬液の流路となる通孔１０４と、薬液タンク内の薬液をシリンダ１０１内に吸入する吸入弁１０５と、から構成されている。
【００１４】
以上の構成において、シリンダ１０１と蓄圧室１０２とは、弁室１０３と通孔１０４とによって連通されている。また、シリンダ１０１と蓄圧室１０２とは、複数箇所（図では４箇所）で固定部材１１０によって固着されている。また、シリンダ１０１には、前述したように、ピストンロッド２０１が挿入されており、このピストンロッド２０１を上下に摺動させることにより薬液を薬液タンク内からシリンダ１０１内に吸入し加圧する。また、ピストンロッド２０１の挿入口には、シリンダ１０１内に注挿された薬液が外部に漏出するのを防ぐためのキャップ１０９が取り付けられている。
【００１５】
また、蓄圧室１０２上部の吐出口１０６にも、シリンダ１０１から蓄圧室１０２内に送出された薬液がそのまま外部に漏出するのを防ぐためのキャップ１０８が設けられている。また、弁室１０３の端部にも、キャップ１０７が設けられている。これは、弁室１０３内の弁機構の修理・保守等のメンテナンス用に設けられたものである。
【００１６】
なお、この噴霧器用ポンプ１００本体を構成するシリンダ１０１，蓄圧室１０２，弁室，通孔１０４および固定部材１１０は、プラスチックを用いて一体成形によって形成されている。
【００１７】
図２は、図１に示す噴霧器用ポンプの主要部分の切欠図である。
図に示すように、シリンダ１０１の上端には、キャップ１０９と螺合させるためのねじ１０９Ａが設けられており、蓄圧室１０２の上端には、キャップ１０８と螺合させるためのねじ１０８Ａが設けられている。また、この蓄圧室１０２の上端の内周には、吐出口１０６が嵌合されている。
なお、この吐出口１０２の下端には、蓄圧室１０２の下端近傍に延長されたチューブ４００が接続されている。
【００１８】
一方、シリンダ１０１の下端には、吸入弁１０５が装着されており、その近傍には、弁体３０１をシリンダ１０１方向に付勢するコイルバネ３００を装着した弁室１０３が設けられている。この弁室１０３の他端には、前述したように、メンテナンス用のキャップ１０７と螺合させるためのねじ１０７Ａが設けられている。この弁室１０３は、前述したように、通孔１０４によって蓄圧室１０２の下端と連通している。そして、蓄圧室１０２内に圧送された薬液は、上記したチューブ４００を通じて吐出口１０６から外部に放出される。
【００１９】
図３は、このシリンダ１０１の下端と蓄圧室１０２の下端近傍の拡大切欠図である。
図に示すように、シリンダ１０１と弁室１０３間には孔１１２が形成されており、この孔１１２に弁体３０１の先端が挿通されている。弁体３０１は、一端をキャップ１０７の突起１０７Ｂに係止されるコイルバネ３００によってシリンダ１０１方向に付勢され、この付勢力によってシリンダ１０１と蓄圧室１０２の間の弁機能を果している。なお、この弁体３０１には、弁体３０１とシリンダ１０１間の気密性を向上させるためのＯリング３０２と、このＯリング３０２がコイルバネ３００方向にずれることを防ぐための係止部材３０３と、コイルバネ３００の他端を係止するための突起３０４が設けられている。この弁体３０１は、シリンダ１０１から蓄圧室１０２への一方向に薬液を送出し、蓄圧室１０２から薬液がシリンダ１０１への漏出を防止する。
【００２０】
図４は、シリンダ１０１の下端の構造を示す図である。
図に示すように、シリンダ１０１の下端近傍には、後述する吸入弁１０５の係合溝１０５ｆに係合させるための突起１１１が設けられており、更に、その先端には、この下端を吸入弁１０５に嵌合させたときにシリンダ１０１の下端と吸入弁１０５間の気密性を向上させるためのＯリング１１２が嵌合されている。
【００２１】
図５は、このシリンダ１０１の下端に嵌合される吸入弁１０５の構造を示す図であり、（ａ）はその正面図、（ｂ）は平面図、（ｃ）は（ｂ）のＡ−Ａ断面図である。
図に示すように、この吸入弁１０５は、外管１０５ａと、内管１０５ｂと、吸入孔１０５ｃと、球弁１０５ｄと、弁押えリング１０５ｅと、係合溝１０５ｆと、から構成され、シリンダ１０１に対して着脱自在な構造となっている。
【００２２】
吸入弁１０５は、シリンダ１０１の内外側から嵌合可能な外管１０５ａと内管１０５ｂとが共通の底板によって一体化し、且つ、底板の中央に、内管１０５ｂ中に通じるように吸入孔１０５ｃが設けられている。また、内管１０５ｂには、金属球から成る球弁１０５ｄが収納されている。この球弁１０５ｄは、吸入孔１０５ｃの直径よりも大きく、内管１０５ｃでの球１０５ｄの動きによって、吸入孔１０５ｃの開閉が可能となる。弁押えリング１０５ｅは、この球弁１０５ｄの垂直上方向への移動を制限するためのものである。
【００２３】
吸入弁１０５をシリンダ１０１の下端に着脱する際は、シリンダ１０１の下端付近の周面に設けられた突起１１１を、吸入弁１０５の外管１０５ａに設けた係合溝１０５ｆが係合させることにより行う。この係合溝１０５ｆは、外管１０５ａの上面に設けられた突起１１１の軸方向の幅にほぼ等しい開口と、この開口から吸入弁１０５の周方向に曲折したＬ字状の溝からなる。そして、シリンダ１０１の下端に設けられた突起１０１ａを、吸入弁１０５係合溝１０５ｆに嵌入し、周方向に回動し係合させることで吸入弁１０５をシリンダ１０１下端に着脱自在に固定する。
【００２４】
以下、本実施の形態に係る噴霧器用ポンプ１００の動作について説明する。
まず、噴霧器用ポンプ１００は、農薬等の薬液を貯留した薬液タンクに装着する。次に、ピストンロッド２０１を上下に揺動すると、シリンダ１０１内に薬液が吸入される。この時、ピストンロッド２０１を引き上げるとシリンダ１０１内の気圧が変化し、吸入弁１０５の吸入孔１０５ｃから薬液が吸入される。
【００２５】
次に、ピストンロッド１０１を押し戻すと、シリンダ１０１内の薬液が圧縮され、吸入弁１０５内の球弁１０５ｄが吸入孔１０５ｃを塞ぎ、薬液の圧縮により、弁室１０３内の弁体３０１と一体化したコイルバネ３０１の自身の弾性により、シリンダ１０１の直径方向に縮み、それにより、シリンダ１０１と弁室１０３とを連通する通孔が開口し、薬液が弁室３０１と通孔１０４を通って、蓄圧室１０２内へ送出される。
【００２６】
蓄圧室１０２内には、シリンダ１０１内で圧縮された空気と薬液とが蓄えられている。そこで、吐出口１０６に取り付けられているスプレーノズル（図示せず）のツマミを開放すると、蓄圧室１０２内部まで延出した吐出口１０６に繋がれているチューブ４００から圧縮された空気と薬液とが吸い上げられ、スプレーノズルへ送出される。
【００２７】
このように、本実施の形態に係る噴霧器用ポンプ１００は、プラスチックで一体成形してなるものであるため、低コストで作成することができる。また、シリンダ１０１と蓄圧室１０２とを別体としたため、いずれかが破損したときに一見して破損箇所を認識することができる構成となっている。
【００２８】
また、キャップ１０７〜１０９の着脱が容易なことから、薬液に曝露される弁体３０１やコイルバネ３００、吐出口１０６の交換が容易となる。また、キャップ１０７〜１０９を装着する部位には、雄ネジが形成されている。雄ネジは、外ネジであって、プラスチック一体成形で容易に形成することができる。
【００２９】
なお、キャップ１０７の構成については、例えば、図６に示すように、貫通孔１１８およびＯリング１１９を有する第１のキャップ１１７と、貫通孔１２３を有する第２のキャップ１２０の２層構成とし、第１のキャップ１１７と第２のキャップ１２０を螺合可能とするとともに、第１のキャップ１１７と第２のキャップ１２０間にコイルバネ１２２を設け、かつ、このコイルばね１２２を第１のキャップ１１７側で係止するとともに安全装置バルブとしても機能する係止突起１２１を設けるようにしても良い。
【００３０】
このように構成することにより、蓄圧室１０２内の圧力が極端に上がった場合、その圧力を減圧すことが可能となる。即ち、蓄圧室１０２内の圧力が一定の圧力より上がった場合あるいは極端に上がった場合、その圧力の逃げ場がないため、構成部品への負荷が膨大になり損傷の原因にもなってしまう。このため、貫通孔１１８およびＯリング１１９を有する第１のキャップ１１７と、貫通孔１２３を有する第２のキャップ１２０の２層構成とし、第１のキャップの貫通孔１１８を通じて係止突起１２１を押し上げて、圧縮された空気を吐出させその圧力を逃がすようにする。なお、この係止突起１２１が押し上げられると、蓄圧室１０２内にある薬液もあわせてその部位から吐出するおそれがあるので、第２のキャップ１２０とコイルバネ１２２による付勢力によって押さえ、薬液の外部への吐出を防止する。また、コイルバネ１２２による押さえの強弱により、圧力の調整を行う。
【図面の簡単な説明】
【００３１】
【図１】本発明の実施形態に係る噴霧器用ポンプの構成を示した図である。
【図２】図１に示す噴霧器用ポンプの断面を示した図である。
【図３】シリンダの下端と蓄圧室の下端近傍の拡大切欠図である。
【図４】シリンダの下端の構造を示す図である。
【図５】シリンダの下端に嵌合される吸入弁の構造を示す図であり、（ａ）はその正面図、（ｂ）は平面図、（ｃ）は（ｂ）のＡ−Ａ断面図である。
【図６】弁室に設けられたキャップの構造の他の例を示す図である。
【符号の説明】
【００３２】
１００    噴霧器用ポンプ
１０１    シリンダ
１０１ａ  突起
１０２    蓄圧室
１０３    弁室
１０４    通孔
１０５    吸入弁
１０５ａ  外管
１０５ｂ  内管
１０５ｃ  吸入孔
１０５ｄ  球弁
１０５ｅ  弁押えリング
１０５ｆ  係合溝
１０６    吐出口
１０７、１０８、１０９  キャップ
１０７ａ  バネ嵌入部
１１０    固定部材
２００    把手
２０１    ピストンロッド
３００    コイルバネ
３０１    弁体
４００    チューブ
【図１】
2008168217.tif 000003
【図２】
2008168217.tif 000004
【図３】
2008168217.tif 000005
【図４】
2008168217.tif 000006
【図５】
2008168217.tif 000007
【図６】
2008168217.tif 000008